(57)【要約】【解決手段】接続すべき２本の手すり部材の端部を嵌め込み得る２つの接続部材１、２からなる。また、前記２つの接続部材１、２と、両接続部材１、２を直交する端部において結合する結合部材３からなる場合もある。両接続部材１、２は凹凸嵌合により抱き合わせ可能であり、嵌め込んだ手すり部材の長手方向と直交する方向である軸線Ｄ1を中心として回動可能である。また、前記結合部材３と前記両接続部材１、２とは凹凸嵌合により抱き合わせ可能であり、嵌め込んだ手すり部材の長手方向と直交する方向である軸線Ｄ2、Ｄ3を中心として両接続部材１、２が結合部材３に対して回動可能である。【効果】様々な階段において廻り具合が異なる場合でも、その廻り具合に応じて手すり部材を連続して設置することができる。連続手すりを全て壁に平行ならしめ得る。【選択図】図１１
2007284998.tif 000002
【特許請求の範囲】
【請求項１】
接続すべき２本の手すり部材の端部を嵌め込み得る２つの接続部材からなり、両接続部材は凹凸嵌合により抱き合わせ可能とするとともに、嵌め込んだ手すり部材の長手方向と直交する方向である軸線を中心として回動可能としたことを特徴とする手すり部材接続具。
【請求項２】
２つの接続部材の少なくとも一方に、取付座を有する支持腕を備えたことを特徴とする請求項１記載の手すり部材接続具。
【請求項３】
接続すべき２本の手すり部材の端部を嵌め込み得る２つの接続部材と、両接続部材を直交する端部において結合する結合部材からなり、この結合部材と両接続部材とは凹凸嵌合により抱き合わせ可能とするとともに、嵌め込んだ手すり部材の長手方向と直交する方向である軸線を中心として両接続部材を結合部材に対して回動可能としたことを特徴とする手すり部材接続具。
【請求項４】
接続すべき２本の手すり部材の端部を嵌め込み得る２つの接続部材と、両接続部材を直交する端部において結合する結合部材からなり、この結合部材と両接続部材とはそれぞれが凹凸嵌合により抱き合わせ可能とするとともに、嵌め込んだ手すり部材の長手方向と直交する方向である軸線を中心として両接続部材を結合部材に対して回動可能としたことを特徴とする手すり部材接続具。
【請求項５】
結合部材に、取付座を有する支持腕を備えたことを特徴とする請求項３又は４記載の手すり部材接続具。
【発明の詳細な説明】
【技術分野】
【０００１】
本発明は、階段や廊下などの通路に配置する手すり部材同士を互いに接続して連続した手すりとするための部材に関するものである。
【背景技術】
【０００２】
従来、階段や廊下などの通路に配置する手すり部材同士を互いに接続して連続した手すりとするためには、階段の傾き具合や通路のコーナーの角度に対応させたパーツをあらかじめ製作しておき、その位置に適するパーツをその部分に配置し、接続金具を用いて接続すべき２本の手すり部材の端部と連結するのが一般的である。
【０００３】
一方、２本の手すり部材の折曲角度を階段の傾き具合や通路のコーナーの角度に自由に対応させるために、図２１に示すように、球面状の凸部ａ’を有する雄部材ａと、前記雄部材ａの凸部ａ’を抱持し得る開口保持部ｂ’を有する雌部材ｂからなる接続具も知られている（例えば、特許文献１、２参照）。
【０００４】
【特許文献１】登録実用新案第３０７０７５０号公報
【０００５】
【特許文献２】特開２００２−６１３５９号公報
【発明の開示】
【発明が解決しようとする課題】
【０００６】
これらの接続具にあっては、雄・雌両部材が相互に首振り自在であるから、２本の手すり部材の折曲角度を階段の傾き具合や通路のコーナーの角度に自由に対応させるには極めて便利であるが、２つの部材が直接的に結合されていないから、長尺状の手すり部材を互いに接続して行くには作業（施工）しにくいという欠点がある。
【０００７】
このような欠点を有することに鑑み、従来の手すり部材接続具に代わる新規な接続具の提供が強く望まれている。しかも、２本の手すり部材の折曲角度を階段の傾き具合や通路のコーナーの角度に自由に対応させることができるとともに、９０度で交わる階段や通路のコーナー部分に使用することで手すり部材を壁に平行に保つことができるのみならず、階段や通路の入隅と出隅のいずれの場所にも手すり部材を設置することができる手すり部材接続具の提供が強く望まれている。
【０００８】
本発明はこのような要望に応えることができる手すり部材接続具を提供することを主たる目的とするものである。特に、手すり部材を互いに接続するための部材を凹凸嵌合により抱き合わせ可能ならしめることにより着脱自在とし、壁にクロスを張る場合や引越しその他で通路を確保するに際して手すり部材を取り外すことができ、その後再び手すり部材を取り付けることができる手すり部材接続具を提供することを目的とするものである。
【課題を解決するための手段】
【０００９】
上記目的を達成するために、第一の発明による手すり部材接続具は、接続すべき２本の手すり部材の端部を嵌め込み得る２つの接続部材からなっており、両接続部材は凹凸嵌合により抱き合わせ可能とするとともに、嵌め込んだ手すり部材の長手方向と直交する方向である軸線を中心として回動可能としてある。
【００１０】
２つの接続部材からなるこの手すり部材接続具を用いた場合には、凹凸嵌合により両接続部材が抱き合わせ状態となり、嵌め込んだ手すり部材の長手方向と直交する方向である軸線を中心として回動可能であるから、２本の手すり部材の折曲角度を自由に変更できる。従って、２本の手すり部材の折曲角度を様々な階段の傾き具合に自由に対応させることができる。
【００１１】
２つの接続部材の少なくとも一方に、取付座を有する支持腕を備えたものとすることができる。この場合には、取付座を利用して２つの接続部材の少なくとも一方を壁に固定することができ、それで２本の手すり部材を支持できる。従って、２つの接続部材を用いて接続されている２本の手すり部材を支持するための支持金具（例えば、図２０に示すようなもの）をその付近に取り付ける必要が無くなり、これらの支受金具を多数用いて手すり部材を支持している従来の場合に比べて施行後の体裁が良くなる。
【００１２】
また、第二の発明による手すり部材接続具は、接続すべき２本の手すり部材の端部を嵌め込み得る２つの接続部材と、両接続部材を直交する端部において結合する結合部材からなっており、この結合部材と両接続部材とは凹凸嵌合により抱き合わせ可能とするとともに、嵌め込んだ手すり部材の長手方向と直交する方向である軸線を中心として両接続部材を結合部材に対して回動可能としてある。
【００１３】
さらに、第三の発明による手すり部材接続具は、接続すべき２本の手すり部材の端部を嵌め込み得る２つの接続部材と、両接続部材を直交する端部において結合する結合部材からなっており、この結合部材と両接続部材とはそれぞれが凹凸嵌合により抱き合わせ可能とするとともに、嵌め込んだ手すり部材の長手方向と直交する方向である軸線を中心として両接続部材を結合部材に対して回動可能としてある。
【００１４】
２つの接続部材と両接続部材を直交する端部において結合する結合部材からなるこれらの手すり部材接続具を用いた場合には、結合部材に対して２つの接続部材を独立して回動させることができるから、結合部材を介して接続される手すり部材が傾きながらさらに傾くような接続が可能となり、様々な階段での連続手すりの廻り具合に自由に対応させることができる。例えば、図１１、図１２に示す踊場、図１４(a)に示す２段廻り、図１４(b)に示す３段廻り、図１４(c)に示す４段廻り、図１４(d)に示す６段廻りのほか、図１４(e)に示す３段・踊場など、直交する壁のコーナー部分に結合部材が来るように配置し、接続すべき２本の手すり部材を結合部材を介して２つの接続部材で互いに接続すれば、様々な階段において廻り具合が異なる場合でも、その廻り具合に応じて手すり部材を連続して設置することが可能となる。
【００１５】
特に、結合部材を踊場や階段の踏み板と平行に配置することで、接続すべき２本の手すり部材を壁に平行に保つことができるから、上述したような様々な階段での廻り具合に応じて設置される連続手すりを全て壁に平行ならしめることができる。
【００１６】
また、２つの接続部材と両接続部材を直交する端部において結合する結合部材からなる１つの手すり部材接続具を用いることにより、図１１に示すように、直角に交わる壁の内側（入隅）に沿うように手すり部材を設置することもできるし、図１３に示すように、直角に交わる壁の外側（出隅）に沿うように手すり部材を設置することもできる。
【００１７】
直角に交わる壁の内側（入隅）に沿うように手すり部材を設置するための入隅専用の接続具と、直角に交わる壁の外側（出隅）に沿うように手すり部材を設置するための出隅専用の接続具とを別個に作製することもできるし、入隅・出隅兼用の接続具とすることもできる。入隅・出隅兼用の接続具とすれば、１つの部材による共通化を図ることができる。
【００１８】
一方、第一の発明においては２つの接続部材が、第二の発明においては前記２つの接続部材と結合部材とが、第三の発明においては前記結合部材と前記両接続部材のそれぞれが、凹凸嵌合により抱き合わせ可能で着脱自在であるから、壁にクロスを張る場合や引越しその他で通路を確保するに際して手すり部材を取り外すことができるとともに、その後再び手すり部材を取り付けることができるなど、着脱自在による利点は極めて大きい。
また、２つの接続部材及びこれら２つの部材と結合部材とが直接的に結合されているから、従来の場合に比べて長尺状の手すり部材を互いに接続して行く作業を行いやすい（施工しやすい）。
【００１９】
特に、第三の発明の場合には、結合部材と両接続部材のそれぞれが凹凸嵌合により抱き合わせ可能で着脱自在であるから、２つの接続部材と結合部材の３つの部材を用いる場合のほか２つの接続部材のみを用いる使用も可能となり、様々な階段に手すり部材を設置する場合に広く適用できる。
【００２０】
結合部材に、取付座を有する支持腕を備えたものとすることができる。この場合には、取付座を利用して結合部材を壁のコーナー部分に固定することができ、この結合部材で接続すべき２本の手すり部材を支持できる。従って、結合部材とこの結合部材に結合した２つの接続部材を用いて接続されている２本の手すり部材を支持するための支持金具（例えば、図２０に示すようなもの）をその付近の壁に取り付ける必要が無くなり、これらの支受金具を多数用いて手すり部材を支持している従来の場合に比べて施行後の体裁が良くなる。
【発明の効果】
【００２１】
請求項１記載の発明による手すり部材接続具を用いた場合には、２本の手すり部材の折曲角度を自由に変更できるから、２本の手すり部材の折曲角度を様々な階段の傾き具合に自由に対応させることができる。
【００２２】
請求項２記載の発明による手すり部材接続具を用いた場合には、２つの接続部材を用いて接続されている２本の手すり部材を支持するための支持金具をその付近に取り付ける必要が無くなるので、これらの支受金具を多数用いて手すり部材を支持している従来の場合に比べて施行後の体裁が良くなる。
【００２３】
請求項３又は４記載の発明による手すり部材接続具を用いた場合には、様々な階段において廻り具合が異なる場合でも、その廻り具合に応じて手すり部材を連続して設置することができる。特に、結合部材を踊場や階段の踏み板と平行に配置することで、接続すべき２本の手すり部材を壁に平行に保つことができるから、様々な階段での廻り具合に応じて設置される連続手すりを全て壁に平行ならしめることができる。
【００２４】
また、請求項３又は４記載の発明による手すり部材接続具を用いた場合には、直角に交わる壁の内側（入隅）に沿うように手すり部材を設置することもできるし、直角に交わる壁の外側（出隅）に沿うように手すり部材を設置することもできる。さらに、入隅・出隅兼用の接続具とすれば、１つの部材による共通化を図ることができる。
【００２５】
一方、請求項１、３、４のいずれかに記載の発明による手すり部材接続具によれば、壁にクロスを張る場合や引越しその他で通路を確保するに際して手すり部材を取り外すことができるとともに、その後再び手すり部材を取り付けることができるなど、着脱自在による利点は極めて大きい。
また、２つの接続部材及びこれら２つの部材と結合部材とが直接的に結合されているから、従来の場合に比べて長尺状の手すり部材を互いに接続して行く作業を行いやすい（施工しやすい）という利点もある。
【００２６】
特に、請求項４記載の発明によれば、２つの接続部材と結合部材の３つの部材を用いる場合のほか２つの接続部材のみを用いる使用も可能となり、様々な階段に手すり部材を設置する場合に広く適用できるという利点がある。
【００２７】
請求項５記載の発明による手すり部材接続具を用いた場合には、結合部材とこの結合部材に結合した２つの接続部材を用いて接続されている２本の手すり部材を支持するための支持金具をその付近の壁に取り付ける必要が無くなるので、これらの支受金具を多数用いて手すり部材を支持している従来の場合に比べて施行後の体裁が良くなる。
【発明を実施するための最良の形態】
【００２８】
本発明による手すり部材接続具の一例を、図面に基づいて詳細に説明する。本発明における手すり部材接続具は、２つの接続部材１、２からなる場合（図１）と、２つの接続部材１、２の少なくとも一方あるいは両接続部材１、２と、それらを直交する端部において結合する結合部材からなる場合（図２〜図５）とを含む。
【００２９】
図１は、手すり部材接続具が２つの接続部材１、２からなる場合の一例を示す。(b)は(a)に対して反対方向から見た場合を表わす。両接続部材１、２は平面的に見ると互いに逆Ｌ字状で、凹凸嵌合により抱き合わせ可能とするとともに、嵌め込んだ手すり部材の長手方向と直交する方向である軸線を中心として回動可能としてある。
【００３０】
この機構の一例を説明すると、接続部材１に嵌合凹部1aを形成するとともに、その外方の壁面を半円弧状1bとし、この半円弧状1bの壁面に対して直交する方向に延びる部分の内壁面を半凹弧状1cとする。一方、接続部材２には、前記嵌合凹部1aに嵌入させ得る円柱形の凸軸2aを形成するとともに、その外方の壁面を半円弧状2bとし、この半円弧状2bの壁面に対して直交する方向に延びる部分の内壁面を半凹弧状2cとする。
２つの接続部材１、２をこのような形状にすると、接続部材１の嵌合凹部1aと接続部材２の凸軸2aの凹凸嵌合により２つの接続部材１、２を抱き合わせることができるとともに、前記嵌合凹部1a及び凸軸2aの軸線Ｄ1を中心として２つの接続部材１、２が回動可能となる。
【００３１】
半円弧状1bの壁面とこの半円弧状1bの壁面に対して直交する方向に延びる部分の裏側には、接続すべき２本の手すり部材の一方の端部を嵌め込み得る凹部1dが、また、半円弧状2bの壁面とこの半円弧状2bの壁面に対して直交する方向に延びる部分の裏側には、接続すべき２本の手すり部材の他方の端部を嵌め込み得る凹部2d備えられており、各凹部1d、2dの裏側には反対方向から凹部1d、2dに達する２つのビス挿通用の孔1e、2eが形成されている。
【００３２】
図８の(ａ)、(b)に示すように、２つの接続部材１、２のうち一方の接続部材１の凹部1dに手すり部材Ａの端部を、また、もう一方の接続部材２の凹部2dに手すり部材Ｂの端部を嵌め込み、それぞれを固定する。この固定には、ビス挿通用の孔1e、2eからビスを挿通することにより行うことができるが、その図示は省略する。一方、接続部材１の嵌合凹部1aと接続部材２の凸軸2aの凹凸嵌合により２つの接続部材１、２を抱き合わせると、前記嵌合凹部1a及び凸軸2aの軸線Ｄ1を中心として２つの接続部材１、２が回動可能になる。
従って、図８の(c)あるいは(d)に示すように、例えば一方の手すり部材Ａに対して他方の手すり部材Ｂの折曲角度を自由に変更でき、２本の手すり部材Ａ、Ｂの折曲角度を様々な階段の傾き具合に自由に対応させることができる。２本の手すり部材Ａ、Ｂをそれぞれ動かして両者の折曲角度を自由に変更することもできる。
【００３３】
このように、図１に示す２つの接続部材１、２からなる手すり部材接続具を用いた場合には、２本の手すり部材Ａ、Ｂの折曲角度を様々な階段の傾き具合に自由に対応させることができる。
なお、図１に示す２つの接続部材１、２からなる手すり部材接続具は、真直ぐな階段（直階段、図示しない）に手すり部材を順次接続する場合にも用いることができる。
【００３４】
次に、図２〜図５は、図１に示す２つの接続部材１、２の少なくとも一方あるいは両接続部材１、２と、それらを直交する端部において結合する結合部材３からなる場合の一例を示す。これらの手すり部材接続具は、図１１に示すように、直角に交わる壁の内側（入隅）に沿うように手すり部材を設置する場合、および、図１３に示すように、直角に交わる壁の外側（出隅）に沿うように手すり部材を設置する場合に用いることができるほか、結合部材３と２つの接続部材１、２のそれぞれが凹凸嵌合により抱き合わせ可能である場合には、上述した場合と同じように、結合部材３を用いないで２つの接続部材１、２のみを用いる使用も可能である。
【００３５】
このうち、図３に示す接続具は前記入隅専用のもの、図４に示す接続具は前記出隅専用のものである。また、図５に示す接続具は入隅・出隅兼用のもので、そのうち図５(a)に示すものが図２に示す場合に相当する。なお、図３〜図５において用いられる部材のうち図１、図２において用いられているものは、同じ図面符号をそのまま用いることとする。
【００３６】
図３(a)に示す場合には、図１、図２に示す場合と同じ２つの接続部材１、２と、図２に示す場合とは異なる結合部材３３を用いている。図３(b)に示す場合には、図１、図２に示す場合と同じ２つの接続部材１、１と、図２に示す場合とは異なる結合部材３３'を用いている。図３(c)に示す場合には、図１、図２に示す場合と同じ２つの接続部材２、２と、図２に示す場合とは異なる結合部材３３”を用いている。
【００３７】
図４(a)に示す場合には、図１、図２に示す場合と同じ２つの接続部材１、２と、図２に示す場合とは異なる結合部材４３を用いている。図４(b)に示す場合には、図１、図２に示す場合と同じ２つの接続部材１、１と、図２に示す場合とは異なる結合部材４３'を用いている。図４(c)に示す場合には、図１、図２に示す場合と同じ２つの接続部材２、２と、図２に示す場合とは異なる結合部材４３”を用いている。
【００３８】
図３に示す接続具は入隅専用のものであって、そのうち図３(a)に示すものを用いて説明すると、図６(a)に示すように、直角に交わる壁Ｅの内側（入隅）に沿わせて２本の手すり部材Ａ、Ｂを直交するごとく接続することができ、設置後の２本の手すり部材Ａ、Ｂを同図の矢印１と矢印２の順に取り外すことができるとともに、その後再び手すり部材Ａ、Ｂを取り付けることができる。ところが、この接続具を直角に交わる壁Ｆの外側（出隅）に沿わせて２本の手すり部材Ａ、Ａを接続する場合に用いた場合には、手すり部材Ａ、Ｂを取り外そうとしても、結合部材３３と２つの接続部材１、２の凹凸嵌合位置の関係で、図６(b)において×印で示すように、手すり部材Ａ、Ｂを取り外すことができない状態になっている。すなわち、図３に示す入隅用の接続具を出隅用の接続具に適用することはできないということである。
【００３９】
そこで、さらに工夫を凝らすことによって、入隅・出隅いずれの場合にも用い得る入隅・出隅兼用の接続具とすることを見出した。それが図５(a)〜(d)に示すものである。
図５(a)に示す場合には、図１、図２に示す場合と同じ２つの接続部材１、２と、図２に示す場合と同じ結合部材３を用いている。図５(b)に示す場合には、図１、図２に示す場合と同じ２つの接続部材１、２と、図２に示す場合とは異なる結合部材５３を用いている。図５(c)に示す場合には、図１、図２に示す場合と同じ２つの接続部材１、１と、図２に示す場合とは異なる結合部材５３'を用いている。図５(d)に示す場合には、図１、図２に示す場合と同じ２つの接続部材２、２と、図２に示す場合とは異なる結合部材５３”を用いている。
図５(a)〜(d)に示す接続具を用いることによって、入隅・出隅いずれの場合においても直角に交わる壁Ｅ、Ｆに沿わせて２本の手すり部材Ａ、Ｂを直交するごとく接続することができ、設置後の２本の手すり部材Ａ、Ｂを取り外す際にも支障がない。
【００４０】
図５(a)〜(d)に示す入隅・出隅兼用の接続具のうち、図５(a)に示すものを図２に基づいてさらに詳しく説明する。図２に示す入隅・出隅兼用の接続具は、２つの接続部材１、２と両接続部材１、２を直交する端部において結合する結合部材３からなっている。(b)は(a)に対して反対方向から見た場合を表わす。この場合に用いる２つの接続部材１、２は図１に示す２つの接続部材と全く同じであり、これら２つの接続部材１、２を直交する端部において結合する結合部材３をさらに備えている点が図１に示す場合と異なる。
【００４１】
図２に示す場合には、この結合部材３と前記両接続部材１、２のそれぞれが凹凸嵌合により抱き合わせ可能であり、しかも、嵌め込んだ手すり部材の長手方向と直交する方向である軸線を中心として両接続部材１、２を結合部材３に対して回動可能としてある。すなわち、結合部材３と前記両接続部材１、２が凹凸嵌合により抱き合わせ可能であるのみならず、前記２つの接続部材１、２同士も凹凸嵌合により抱き合わせ可能である。  凹凸嵌合により２つの接続部材１、２を抱き合わせ可能とするとともに、嵌め込んだ手すり部材の長手方向と直交する方向である軸線を中心として回動可能とするための機構はすでに説明したから、ここではそれを省略し、２つの接続部材１、２を直交する端部において結合するための結合部材３のみの機構について詳細に説明する。
なお、結合部材３を説明するに当って、この結合部材３と関連する２つの接続部材１、２については、上述した場合と同じ符号を用いるものとする。
【００４２】
結合部材３は２つの接続部材１、２を直交する端部において結合するものであるから、平面直角状の部材である。そして、直角状の結合部材３の直交する端部の一方では、２つの接続部材１、２のうち接続部材１を、また、他方の端部では、２つの接続部材１、２のうち接続部材２を抱き合わせ可能とするとともに、嵌め込んだ手すり部材の長手方向と直交する方向である軸線を中心として両接続部材１、２を結合部材３に対して回動可能としてある。
【００４３】
この機構の一例を示すと、接続部材１が抱き合わせられる直角状の結合部材３の直交する端部の一方において、図２に示すように、接続部材１の嵌合凹部1aに嵌入させ得る円柱形の凸軸3aを形成するとともに、その外方の壁面を半円弧状3bとし、この半円弧状3bの壁面に対して直交する方向の内壁面を半凹弧状3cとする。
結合部材３の端部の一方をこのような形状にすると、図９(a)に示すように、接続部材１の嵌合凹部1aと結合部材３の凸軸3aの凹凸嵌合により接続部材１と結合部材３を抱き合わせることができるとともに、前記嵌合凹部1a及び凸軸3aの軸線Ｄ2を中心として接続部材１が結合部材３に対して回動可能となる。
【００４４】
図９(a)に示すように、接続部材１の凹部1dに手すり部材Ｃの端部を嵌め込み、両者を固定する。この固定には、ビス挿通用の孔1eからビスを挿通することにより行うことができるが、その図示は省略する。一方、接続部材１の嵌合凹部1aと結合部材３の凸軸3aの凹凸嵌合により接続部材１と結合部材３を抱き合わせると、前記嵌合凹部1a及び凸軸3aの軸線Ｄ2を中心として接続部材１が結合部材３に対して回動可能となり、図９(b)、(c)に示すように手すり部材Ｃを結合部材３に対して回動させることができる。
【００４５】
一方、接続部材２が抱き合わせられる直角状の結合部材３の直交する端部の他方においては、図２に示すように、接続部材２の凸軸2aが凹凸嵌合する嵌合凹部3dを形成するとともに、その外方の壁面を半円弧状3eとし、この半円弧状3eの壁面に対して直交する方向の外壁面を半凹弧状3fとする。
結合部材３の端部の他方をこのような形状にすると、接続部材２の凸軸2aと結合部材３の嵌合凹部3dの凹凸嵌合により接続部材２と結合部材３を抱き合わせることができるとともに、前記凸軸2a及び嵌合凹部3dの軸線Ｄ3を中心として接続部材２が結合部材３に対して回動可能となる。
【００４６】
図１０(a)に示すように、接続部材２の凹部2dに手すり部材Ｂの端部を嵌め込み、両者を固定する。この固定には、ビス挿通用の孔2eからビスを挿通することにより行うことができるが、その図示は省略する。一方、接続部材２の凸軸2aと結合部材３の嵌合凹部3dの凹凸嵌合により接続部材２と結合部材３を抱き合わせると、前記凸軸3a及び嵌合凹部3dの軸線Ｄ3を中心として接続部材２が結合部材３に対して回動可能となり、図１０(b)、(c)に示すように手すり部材Ｂを結合部材３に対して回動させることができる。
【００４７】
このように、結合部材３の直交する両端部において、結合部材３に対して２つの接続部材１、２を独立して回動させることができるから、結合部材３を介して接続される手すり部材が傾きながらさらに傾くような接続が可能となり、様々な階段での連続手すりの廻り具合に自由に対応させることができる。例えば、図１１〜図１３に示す踊場Ｇ、図１４(a)に示す２段廻りＨ、図１４(b)に示す３段廻りＩ、図１４(c)に示す４段廻りＪ、図１４(d)に示す６段廻りＫのほか、図１４(e)に示す３段・踊場Ｌなど、直交する壁のコーナー部分に結合部材３が来るように配置し、接続すべき２本の手すり部材を結合部材３を介して２つの接続部材１、２で互いに接続すれば、様々な階段において廻り具合が異なる場合でも、その廻り具合に応じて手すり部材を連続して設置することが可能となる。
【００４８】
特に、結合部材３を踊場Ｇや様々な階段Ｈ、Ｉ、Ｊ、Ｋ、３段・踊場Ｌの踏み板と平行に配置することで、接続すべき２本の手すり部材を壁に平行に保つことができるから、上述したような様々な階段Ｈ、Ｉ、Ｊ、Ｋや３段・踊場Ｌでの廻り具合に応じて設置される連続手すりを全て壁に平行ならしめることができる。
【００４９】
２つの接続部材１、２からなる手すり部材接続具及び２つの接続部材１、２と両接続部材１、２を直交する端部において結合する結合部材３からなる手すり部材接続具を用いるだけで、図１１に示すように、直角に交わる壁の内側（入隅）に沿うように手すり部材を設置することもできるし、図１３に示すように、直角に交わる壁の外側（出隅）に沿うように手すり部材を設置することもできる。
【００５０】
図１１に示す入隅の場合において、２つの接続部材１、２と両接続部材１、２を直交する端部において結合する結合部材３からなる手すり部材接続具により直交して配置されている２本の手すり部材Ａ、Ｂのうち、手すり部材Ａを接続部材１とともに先に矢印方向に外すことができ、それを取り外した後もう一方の手すり部材Ｂを接続部材２及び結合部材３とともに取り外すことができる。
これは、手すり部材Ａの両端に取り付けられている接続部材１、１を結合部材３と接続部材２から先に外すことができるように、結合部材３と接続部材１ならびに接続部材２と接続部材１の凹凸嵌合状態を定めた上で、それらの部材を組み合わせてあるからである。
【００５１】
また、図１３に示す出隅の場合においては、２つの接続部材１、２と両接続部材１、２を直交する端部において結合する結合部材３からなる手すり部材接続具により直交して配置されている２本の手すり部材Ａ、Ｂのうち、手すり部材Ａを接続部材２とともに先に矢印方向に外すことができ、それを取り外した後もう一方の手すり部材Ｂを接続部材１及び結合部材３とともに取り外すことができる。
これは、手すり部材Ａの一端に取り付けられている接続部材２を結合部材３から先に外すことができるように、結合部材３と接続部材１、２の凹凸嵌合状態を定めた上で、それらの部材を組み合わせてあるからである。
【００５２】
このように、手すり部材の取り外し順と取り付け順とを考慮に入れながら、２つの接続部材１、２と両接続部材１、２を直交する端部において結合する結合部材３からなる手すり部材接続具、あるいは、２つの接続部材１、２からなる手すり部材接続具を用い、直交する方向に手すり部材Ａ、Ｂを設置し、さらに、これらに接続させて順次手すり部材Ａ’、Ｂ’を接続して行くことができる。そして、クロスの張り替え作業前後や引越しその他で通路を確保するに際しては、手すり部材Ａ、ＢやＡ’、Ｂ’を取り外すことができ、その後手すり部材を取り付ける場合にも支障はない。
【００５３】
ここに例示する２つの接続部材１、２からなる手すり部材接続具および２つの接続部材１、２と両接続部材１、２を直交する端部において結合する結合部材３からなる手すり部材接続具においては、２つの接続部材１，２及び２つの接続部材１、２と結合部材３とがいずれも直接的に結合されているから、従来の場合に比べて長尺状の手すり部材を互いに接続して行く作業を行いやすい（施工しやすい）。
【００５４】
なお、図７の上側に、２つの接続部材１、２からなる手すり部材接続具を用いて２本の手すり部材Ｂ、Ｂ’を接続した状態を、また、図７の下側に、２つの接続部材１、２と両接続部材１、２を直交する端部において結合する結合部材３からなる手すり部材接続具を用いて、２本の手すり部材Ａ、Ｂを直交するように接続した状態を示す。
【００５５】
２つの接続部材１、２の半円弧状部分1c、2c及び結合部材３の半円弧状部分3c、3fの両端は、図８〜図１０に示すように、ストッパー1f、2f、3gとなっており、折曲させた手すり部材Ｂ（図８、図１０）及び手すり部材Ｃ（図９）が前記ストッパー1f、2f、3gによりそれ以上折曲されないようになっている。
【００５６】
２つの接続部材１、２を凹凸嵌合により抱き合わせ可能とするとともに、嵌め込んだ手すり部材の長手方向と直交する方向である軸線を中心として回動可能とするための機構や、結合部材３の直交する端部において２つの接続部材１、２を凹凸嵌合により抱き合わせ可能とするとともに、嵌め込んだ手すり部材の長手方向と直交する方向である軸線を中心として両接続部材１、２を結合部材３に対して回動可能とするための機構は、ここに例示した嵌合凹部1aと凸軸2aの場合のみに限定されるものではなく、通常一般的に考え得る様々な機構を採用することができる。例えば、嵌合凹部1aに代えてネジ孔を形成し、凸軸2aに代えてネジの頭を嵌め込み得る段付きの孔を形成し、この孔にネジを挿通してその先側を前記ネジ孔に螺合させる場合などを挙げることができる。
【００５７】
本発明の手すり部材接続具により接続されている手すり部材Ａ、ＢやＡ’、Ｂ’は、通常、図１１〜図１３において符号Ｍで示す支持金具により下側から支持されている。この支持金具Ｍは、図２０に詳示するように、階段や廊下の壁に取り付け得る台座ｍ1と、この台座ｍ1に重ね合わせることのできる取付座ｍ2を有する支持腕ｍ3と、台座ｍ1に重ね合わせて取り付けた後の支持腕ｍ3の取付座ｍ2部分を覆い隠すカバーｍ4からなるものである。そして、階段や廊下の壁にビスなどで台座ｍ1を取り付け、この台座ｍ1に支持腕ｍ3の取付座ｍ2を重ね合わせてビスなどで固定するとともに、支持腕ｍ3の先端にある支持部材ｍ5にビスなどで手すり部材を固定することにより、手すり部材を階段や廊下の壁Ｅ、Ｆに沿って設置することができる。
【００５８】
前記支持金具Ｍは従来から用いられており、これを多数使用した場合には、手すり部材設置後において連続する手すりの下側に多くの支持金具Ｍが見えることになるので、体裁が良くない。この欠点を解消するために、ここでは、図１５〜図１９に示すように、２つの接続部材１、２の少なくとも一方に、また、２つの接続部材１、２を直交する端部において結合する結合部材３に、それぞれ取付座を有する支持腕を備えたものとしてある。
【００５９】
図１５(a)には、通常の壁用接続具とするために、平板状の取付座2hを有する支持腕2iが２つの接続部材１、２のうちの一方である接続部材２に備えられた場合を例示する。この支持腕2iを備えた接続部材２を用いると、その取付座2hを利用してビスなどにより壁Ｅに接続部材２を固定することができるから、図１５(b)に示すように、少なくともその付近に図１１においてＭで示す支持金具を取り付ける必要が無くなる。従って、これらの支受金具Ｍを多数用いて手すり部材Ｂ、Ｂ’を支持している従来の場合に比べて施行後の体裁が良くなる。図示はしないが、この場合と同様に、接続部材１に取付座2hを有する支持腕2iを備えても良い。
【００６０】
図１６(a)〜(c)には、結合部材に、取付座を有する支持腕を備えた場合が例示されている。図１６(a)には、入隅用の接続具とするために、平面直角三角形の突出コーナー部を備えた取付座3hを有する支持腕3iが、結合部材３に備えられた場合を例示する。
この支持腕3iを備えた結合部材３を用いると、図１７(a)に示すように、２本の手すり部材Ａ、Ｂを直交するごとく接続することができる。そして、平面直角三角形の突出コーナー部を備えた取付座3hを利用してビスなどにより入隅であるコーナー部分に結合部材３を固定することができるから、図１７(b)に示すように、少なくともその付近に図１１においてＭで示す支持金具を取り付ける必要が無くなる。従って、これらの支受金具Ｍを多数用いて手すり部材を支持している従来の場合に比べて施行後の体裁が良くなる。
【００６１】
また、図１６(b)には、出隅用の接続具とするために、平面逆Ｌ字形の屈曲コーナー部を備えた取付座3h'を有する支持腕3iが、結合部材３に備えられた場合を例示する。
この支持腕3iを備えた結合部材３を用いると、図１８(a)に示すように、２本の手すり部材Ａ、Ｂを直交するごとく接続することができる。そして、平面逆Ｌ字形の屈曲コーナー部を備えた取付座3h'を利用してビスなどにより出隅であるコーナー部分に結合部材３を固定することができるから、図１８(b)に示すように、少なくともその付近に図１３においてＭで示す支持金具を取り付ける必要が無くなる。従って、これらの支受金具Ｍを多数用いて手すり部材を支持している従来の場合に比べて施行後の体裁が良くなる。
【００６２】
また、図１６(c)には、平板状の取付座2hを有する支持腕2iが、図１６(a)、１６(b)において図面符号３で示す結合部材とは異なる別の結合部材６３（図１、２において図面符号１、２で示す接続部材を相対する方向に一体的ならしめた形）に備えられた場合を例示する。
この支持腕2iを備えた結合部材６３を用いると、図１９(a)に示すように、２本の手すり部材Ｂ、Ｂ’を折曲させた状態で直線状に接続することができる。そして、平板状の取付座2hを利用してビスなどにより壁Ｅに結合部材６３を固定することができるから、図１９(b)に示すように、少なくともその付近に図１１においてＭで示す支持金具を取り付ける必要が無くなる。従って、これらの支受金具Ｍを多数用いて手すり部材を支持している従来の場合に比べて施行後の体裁が良くなる。
【００６３】
このように、２つの接続部材１、２のうちのいずれか一方に、また、両接続部材１、２を直交する端部において結合する結合部材３、あるいは、両接続部材１、２を直線状に結合する結合部材６３に、取付場所に応じた形状の取付座を有する支持腕を取り付けることにより、支受金具Ｍを多数用いて手すり部材を支持している従来の場合に比べて施行後の体裁が良くなる。
【産業上の利用可能性】
【００６４】
ここでは、方形状の手すり部材を接続するための手すり部材接続具の一例について説明したが、手すり部材の端部を嵌め込むための凹部1d、2dの形状を、楕円形、三角形、多角形、真円形など使用する手すり部材の断面形状に合致させれば、様々な形状の手すり部材を接続するための手すり部材接続具として広く適用できるのは勿論である。
【図面の簡単な説明】
【００６５】
【図１】２つの接続部材からなる本発明による手すり部材接続具の一例を示す分解斜視図で、(b)は(a)に対して反対方向から見た場合を表わす。
【図２】２つの接続部材と両接続部材を直交する端部において結合する結合部材からなる手すり部材接続具の一例を示す分解斜視図で、(b)は(a)に対して反対方向から見た場合を表わす。
【図３】２つの接続部材と両接続部材を直交する端部において結合する結合部材からなる手すり部材接続具であって、直角に交わる壁の内側（入隅）に沿うように手すり部材を設置する場合に用いる手すり部材接続具の一例を示す分解平面図である。
【図４】２つの接続部材と両接続部材を直交する端部において結合する結合部材からなる手すり部材接続具であって、直角に交わる壁の外側（出隅）に沿うように手すり部材を設置する場合に用いる手すり部材接続具の一例を示す分解平面図である。
【図５】２つの接続部材と両接続部材を直交する端部において結合する結合部材からなる手すり部材接続具であって、入隅・出隅兼用の手すり部材接続具の一例を示す分解平面図である。
【図６】２つの接続部材と両接続部材を直交する端部において結合する結合部材からなる手すり部材接続具が、通常、入隅用に適用できても出隅用に適用することができないことを説明するための平面図で、(a)は入隅で用いることができる状態を、(b)は入隅で用いることができる接続具を出隅では用いることができない状態を示す。
【図７】２つの接続部材からなる手すり部材接続具を用いて２本の手すり部材を接続した状態と、２つの接続部材と両接続部材を直交する端部において結合する結合部材からなる手すり部材接続具を用いて２本の手すり部材を直交するように接続した状態を示す斜視図である。
【図８】２つの接続部材からなる手すり部材接続具を用いた場合において、２本の手すり部材の接続状態を示すもので、(a)は平面図、(b)は正面図、(c)、(d)は一方の手すり部材に対して他方の手すり部材の折曲角度を変更した状態を示す正面図である。
【図９】２つの接続部材と両接続部材を直交する端部において結合する結合部材からなる手すり部材接続具を用いた場合において、結合部材の直交する端部の一方における手すり部材の接続状態を示すもので、(a)は正面図、(b)、(c)は結合部材に対して手すり部材の折曲角度を変更した状態を示す正面図である。
【図１０】２つの接続部材と両接続部材を直交する端部において結合する結合部材からなる手すり部材接続具を用いた場合において、結合部材の直交する端部の他方における手すり部材の接続状態を示すもので、(a)は正面図、(b)、(c)は結合部材に対して手すり部材の折曲角度を変更した状態を示す正面図である。
【図１１】２つの接続部材からなる手すり部材接続具及び２つの接続部材と両接続部材を直交する端部において結合する結合部材からなる手すり部材接続具を用い、直角に交わる壁の内側（入隅）に沿うように手すり部材を設置する状況を示す拡大平面図である。
【図１２】図１１に示すように手すり部材を配置した状況を示す概略斜視図である。
【図１３】２つの接続部材と両接続部材を直交する端部において結合する結合部材からなる手すり部材接続具を用い、直角に交わる壁の外側（出隅）に沿うように手すり部材を設置する状況を示す拡大平面図である。
【図１４】様々な階段の種類を示す斜視図で、(a)は２段廻りを、(b)は３段廻りを、(c)は４段廻りを、(d)は６段廻りを、(e)は３段・踊場をそれぞれ示す。
【図１５】２つの接続部材のうちの一方に、平板状の取付座を有する支持腕を備えた手すり部材接続具の一例を示すもので、(a)はその斜視図、(b)はその使用状態を示す平面図である。
【図１６】２つの接続部材を結合する結合部材に、取付場所に応じた形状の取付座を有する支持腕を備えた手すり部材接続具の一例を示すもので、(a)は入隅用の接続具の斜視図、(b)は出隅用の接続具の斜視図、(c)は(a)、(b)とは異なる別の接続具の斜視図である。
【図１７】図１６(a)に示す入隅用の手すり部材接続具の使用状態を示す図で、(a)はこの接続具を用いて２本の手すり部材を直交するごとく接続した状態を示す斜視図、(b)はその使用状態を示す平面図である。
【図１８】図１６(b)に示す出隅用の手すり部材接続具の使用状態を示す図で、(a)はこの接続具を用いて２本の手すり部材を直交するごとく接続した状態を示す斜視図、(b)はその使用状態を示す平面図である。
【図１９】図１６(c)に示す手すり部材接続具の使用状態を示す図で、(a)はこの接続具を用いて２本の手すり部材を折曲させた状態で直線状に接続した状態を示す斜視図、(b)はその使用状態を示す平面図である。
【図２０】従来から用いられている手すり部材の支持金具の一例を示す分解斜視図である。
【図２１】従来の手すり部材接続具の一例を、手すり部材を嵌め込んだ状態で示す斜視図である。
【符号の説明】
【００６６】
１…接続部材、1a…嵌合凹部、1b…半円弧状部分、1c…半凹弧状部分、1d…凹部、２…接続部材、2a…凸軸、2b…半円弧状部分、2c…半凹弧状部分、2d…凹部、2h…取付座、2i…支持腕、3h、3h'…取付座、3i…支持腕、３、３３、３３’、３３”、４３、４３’、４３”、５３、５３’、５３”、６３…結合部材、3a…凸軸、3b、3e…半円弧状部分、3c、3f…半凹弧状部分、Ａ、Ａ’、Ｂ、Ｂ’、Ｃ…手すり部材、Ｄ1、Ｄ2、Ｄ3…軸線。
【図１】
2007284998.tif 000003
【図２】
2007284998.tif 000004
【図３】
2007284998.tif 000005
【図４】
2007284998.tif 000006
【図５】
2007284998.tif 000007
【図６】
2007284998.tif 000008
【図７】
2007284998.tif 000009
【図８】
2007284998.tif 000010
【図９】
2007284998.tif 000011
【図１０】
2007284998.tif 000012
【図１１】
2007284998.tif 000013
【図１２】
2007284998.tif 000014
【図１３】
2007284998.tif 000015
【図１４】
2007284998.tif 000016
【図１５】
2007284998.tif 000017
【図１６】
2007284998.tif 000018
【図１７】
2007284998.tif 000019
【図１８】
2007284998.tif 000020
【図１９】
2007284998.tif 000021
【図２０】
2007284998.tif 000022
【図２１】
2007284998.tif 000023